(57)【要約】      （修正有）【課題】携帯型コンピュータのカバーケースにおいて、従来のカバーケースを使いながらも、デザインの変更を柔軟に行うことが出来る装飾板を提供する。【解決手段】携帯型コンピュータのカバーケースの内面枠に、はめ込んで使用する装飾板であって、当該装飾板は、前記特定の携帯型コンピュータのカバーケースの内面枠にはめ込めるように、当該特定の携帯型コンピュータのカバーケースの内面枠の凹凸にあわせて形状をカットする。この装飾板を、前記特定の携帯型コンピュータのカバーケースにはめ込んで使用する他の装飾板を切り抜くためのパターンとして使用することができる、携帯型コンピュータのカバーケースの内面枠に、はめ込んで使用する。【選択図】図２
0003182861.tif 000002
【実用新案登録請求の範囲】
【請求項１】
特定の携帯型コンピュータのカバーケースの内面枠に、はめ込んで使用する装飾板であって、
当該装飾板は、
前記特定の携帯型コンピュータのカバーケースの内面枠にはめ込めるように、当該特定の携帯型コンピュータのカバーケースの内面枠の凹凸にあわせて形状がカットされており、
前記特定の携帯型コンピュータのカバーケースにはめ込んで使用する他の装飾板を切り抜くためのパターンとして使用することができる、
携帯型コンピュータのカバーケースの内面枠に、はめ込んで使用する装飾板。
【請求項２】
前記装飾板は、表面も裏面も、両面の装飾がなされている、
請求項１記載の、携帯型コンピュータのカバーケースの内面枠に、はめ込んで使用する装飾板。
【請求項３】
前記装飾板における装飾は、印刷による装飾である、
請求項２記載の、携帯型コンピュータのカバーケースの内面枠に、はめ込んで使用する装飾板。
【考案の詳細な説明】
【技術分野】
【０００１】
本考案は、装飾板に関するものであり、携帯型コンピュータ（携帯電話機、スマートフォン、タブレット型携帯端末、ノートパソコン、携帯型ゲーム機等）のカバーケースの内面枠に、はめ込んで使用する装飾板に関するものである。
【背景技術】
【０００２】
従来から、携帯型コンピュータ（携帯電話機、スマートフォン、タブレット型携帯端末、ノートパソコン、携帯型ゲーム機等）の保護のため、各種の携帯型コンピュータのカバーケースが存在した。
【０００３】
例えば、携帯型コンピュータのカバーケースに関しては、以下の特許文献が存在する。
【先行技術文献】
【特許文献】
【０００４】
【特許文献１】特開２０１２−２５３３２３号公報
【特許文献２】特開２０１２−２５３２９０号公報
【考案の概要】
【考案が解決しようとする課題】
【０００５】
しかし、上記のような、従来の各種の携帯型コンピュータのカバーケースでは、デザイン性に乏しく、同じカバーケースを使いつつも、適宜デザインを変更する事ができない、という不都合があった。
【０００６】
携帯型コンピュータのカバーケースのデザインを変更しようとすると、別のカバーケースを利用するしかなかった。
【０００７】
特に、携帯型コンピュータのカバーケースの内面枠のデザインは、デザイン性の乏しいものが多い、という問題もあった。
【０００８】
そこで、本願に係る考案は、上記説明したような、従来の携帯型コンピュータのカバーケースに比べて、従来のカバーケースを使いながらも、デザインの変更を柔軟に行う手段の提供等を課題とする。
【課題を解決するための手段】
【０００９】
１、
【００１０】
（１）
【００１１】
そこで、本考案に係る装飾板は、
特定の携帯型コンピュータのカバーケースの内面枠に、はめ込んで使用する装飾板であって、
当該装飾板は、
前記特定の携帯型コンピュータのカバーケースの内面枠にはめ込めるように、当該特定の携帯型コンピュータのカバーケースの内面枠の凹凸にあわせて形状がカットされており、
前記特定の携帯型コンピュータのカバーケースにはめ込んで使用する他の装飾板を切り抜くためのパターンとして使用することができる、
携帯型コンピュータのカバーケースの内面枠に、はめ込んで使用する装飾板である。
【００１２】
（２）
【００１３】
「特定の携帯型コンピュータ」とは、携帯型コンピュータ（携帯電話機、スマートフォン、タブレット型携帯端末、ノートパソコン、携帯型ゲーム機等）のうち、特定の携帯型コンピュータ製品をいう。
「携帯型コンピュータのカバーケースの内面枠」とは、携帯型コンピュータのカバーケースの、携帯型コンピュータ側面の枠をいう。
「装飾板」とは、装飾がされた板をいう。「装飾」には、各種の印刷（フォトリソグラフィ印刷、有版式印刷（凸版印刷、凹版印刷、平版印刷、孔版印刷等）、無版式（静電印刷、レーザ印刷、熱転写印刷（溶融型・昇華型）、インクジェット印刷等）、等の各種の印刷方法）も含まれる。
「他の装飾板を切り抜くためのパターン」とは、いわゆる型紙のように、他の装飾板を切り抜くためのパターンとして利用できる、という意味である。
【００１４】
（３）
【００１５】
本願に係る装飾板は、特定の携帯型コンピュータのカバーケースの内面枠にはめ込めるように、当該特定の携帯型コンピュータのカバーケースの内面枠の凹凸にあわせて形状がカットされているため、当該特定の携帯型コンピュータのカバーケースの内面枠に、はめ込んで使用できる。
また、当該装飾板を、特定携帯型コンピュータのカバーケースにはめ込んで使用する他の装飾板を切り抜くためのパターンとして使用することができるため、気に入ったデザインの装飾板から切り抜いて、特定携帯型コンピュータのカバーケースにはめ込んで使用することができる。
これにより、従来のカバーケースを使いながらも、デザインの変更を柔軟に行う手段の提供ができる。
【００１６】
２、
【００１７】
（１）
【００１８】
また、他の考案に係る装飾板は、
表面も裏面も、両面の装飾がなされている、
前記の携帯型コンピュータのカバーケースの内面枠に、はめ込んで使用する装飾板である。
【００１９】
（２）
【００２０】
本願に係る装飾板は、表面も裏面も、両面の装飾がなされているため、当該特定の携帯型コンピュータのカバーケースが透明や、半透明である場合に、内面だけでなく、外面についても装飾効果を発揮する。
これにより、従来のカバーケースを使いながらも、デザインの変更を柔軟に行う手段の提供ができる。
【００２１】
３、
【００２２】
（１）
【００２３】
また、他の考案に係る装飾板は、
装飾板における装飾が、印刷による装飾である、
前記の携帯型コンピュータのカバーケースの内面枠に、はめ込んで使用する装飾板である。
【００２４】
（２）
【００２５】
本願に係る装飾板は、装飾板における装飾が、印刷による装飾であるため、当該特定の携帯型コンピュータのカバーケースの内面枠に、はめ込んで使用する際に、出っ張った装飾が邪魔することがない。
これにより、従来のカバーケースを使いながらも、デザインの変更を柔軟に行う手段の提供ができる。
【考案の効果】
【００２６】
従来の各種の携帯型コンピュータのカバーケースでは、デザイン性に乏しく、同じカバーケースを使いつつも、適宜デザインを変更する事ができない、という不都合があり、携帯型コンピュータのカバーケースのデザインを変更しようとすると、別のカバーケースを利用するしかなかった。
特に、携帯型コンピュータのカバーケースの内面枠のデザインは、デザイン性の乏しいものが多い、という問題もあった。
しかし、本願に係る考案は、上記のように、従来のカバーケースを使いながらも、デザインの変更を柔軟に行う手段の提供ができる。
【図面の簡単な説明】
【００２７】
【図１】特定の携帯型コンピュータのカバーケースの一例。
【図２】本願に係る装飾板及び装飾板を利用した切り抜きの一例。
【図３】本願に係る装飾板を利用した切り抜きの一例。
【図４】本願に係る装飾板を、特定の携帯型コンピュータのカバーケースの内面枠に、はめ込んで使用した一例。
【考案を実施するための形態】
【００２８】
以下、本考案に係る装飾板の実施形態の例を説明する。
【００２９】
１、
まず、図１を使い、特定の携帯型コンピュータのカバーケースの一例を説明する。
【００３０】
図１は、特定の携帯型コンピュータのカバーケースの一例であり、プラスチック等による透明又は半透明のカバーケースである。
カバーして保護する特定の携帯型コンピュータのカメラ機構を妨げないように、内側（内面）から見て右上の箇所に、穴が開いている。
カバーして保護する特定の携帯型コンピュータが、しっかりとはまるように、当該特定の携帯型コンピュータの形状に合った形状をしている。
図１のカバーケースは、透明又は半透明のカバーケースであり、表面も裏面も、両面の装飾がなされている装飾板を内面枠にはめ込んで使用すれば、内面だけでなく、外面についても装飾効果を発揮する。
【００３１】
「特定の携帯型コンピュータ」とは、携帯型コンピュータ（携帯電話機、スマートフォン、タブレット型携帯端末、ノートパソコン、携帯型ゲーム機等）のうち、特定の携帯型コンピュータ製品をいう。
「携帯型コンピュータのカバーケースの内面枠」とは、携帯型コンピュータのカバーケースの、携帯型コンピュータ側面の枠をいう。
【００３２】
２、
次に、図２を使い、装飾板及び装飾板を利用した切り抜きの一例を説明する。
【００３３】
図２は、装飾板及び装飾板を利用した切り抜きの一例であり、右端が装飾板の一例である。
右端の装飾板は、図１の特定の携帯型コンピュータのカバーケースの内面枠にはめ込めるように、当該特定の携帯型コンピュータのカバーケースの内面枠の凹凸にあわせて形状がカットされている。
一番左の型紙から、右端の装飾板をパターンとして使用して、切り抜かれた装飾板が、左から二番目の装飾板である。
右から二番目の装飾板も、他の型紙から、右端の装飾板をパターンとして使用して切り抜かれた装飾板である。
図２の装飾板における装飾は、印刷による装飾であるため、当該特定の携帯型コンピュータのカバーケースの内面枠に、はめ込んで使用する際に、出っ張った装飾が邪魔することがない。
【００３４】
「装飾板」とは、装飾がされた板をいう。「装飾」には、各種の印刷（フォトリソグラフィ印刷、有版式印刷（凸版印刷、凹版印刷、平版印刷、孔版印刷等）、無版式（静電印刷、レーザ印刷、熱転写印刷（溶融型・昇華型）、インクジェット印刷等）、等の各種の印刷方法）も含まれる。
「他の装飾板を切り抜くためのパターン」とは、いわゆる型紙のように、他の装飾板を切り抜くためのパターンとして利用できる、という意味である。
ここでいう「型紙」の材料は、紙だけに限られず、プラスチック等も含まれる。
【００３５】
３、
次に、図３を使い、装飾板を利用した、他の切り抜きの一例を説明する。
【００３６】
図３の一番左の型紙から、図２の装飾板をパターンとして使用して、切り抜かれた装飾板が、左から二番目の装飾板である。
図３の右から二番目の型紙から、図２の装飾板をパターンとして使用して、切り抜かれた装飾板が、右端の装飾板である。
【００３７】
４、
図４では、装飾板を、特定の携帯型コンピュータのカバーケースの内面枠に、はめ込んで使用した一例を説明する。
【００３８】
図４の真ん中は、図１の特定の携帯型コンピュータのカバーケースの内面枠に、図２で切り抜いた装飾板をはめ込んで使用した一例である。
図４の左右は、図３で切り抜いた装飾板である。
図４の左右の装飾板も、図４の真ん中の装飾板と同じ元の装飾板をパターンとして使用して、切り抜かれたため、図４の真ん中の装飾板を、左右の装飾板と入れ替える事ができる。
これにより、特定の携帯型コンピュータのカバーケースがデザイン性に乏しい場合でも、別のカバーケースを利用せずに、デザインの変更を柔軟に行うことができる。
特に、他の装飾板を切り抜くためのパターンとして使用することができるため、新たなデザインに適した装飾板を切り抜いて、特定の携帯型コンピュータのカバーケースの内面枠にはめ込んで使用すれば、携帯型コンピュータのカバーケースを変えなくても、デザインの変更を柔軟に行うことができる。
【産業上の利用可能性】
【００３９】
本願に関する装飾板を製造、販売することにより、産業の発達に寄与することができる。
【図１】
0003182861.tif 000003
【図２】
0003182861.tif 000004
【図３】
0003182861.tif 000005
【図４】
0003182861.tif 000006